(57)【特許請求の範囲】
【請求項１】
インターネットを介してサーバに接続されたデータベースを検索し、希望する情報を抽出するためのデータ検索方法であって、
著名人および該著名人が属するグループの公開情報と該著名人の声紋データとを対応付けて前記データベースに予め蓄積しておき、
前記インターネットを介して情報端末からの音データをサーバで受信し、
前記音データから少なくとも１人の声を分離し、
前記声から声紋をそれぞれ判別し、
判別された前記声紋のデータの中で、前記データベースに対応付けされた公開情報がある声紋のデータのみを選択し、
選択された前記声紋の著名人が全て同一のグループに属する場合に、そのグループの前記公開情報を抽出し、
前記選択された声紋の著名人全てが同一のブループに属してはいない場合に、前記選択された声紋の著名人および該著名人が属するグループの全ての前記公開情報を抽出し、
抽出された前記公開情報を前記サーバから前記情報端末に送信するデータ検索方法。
【請求項２】
前記声は歌声であり、前記公開情報は前記著名人の音楽に関する公開情報である、請求項１記載のデータ検索方法。
【請求項３】
ユーザの希望する情報をインターネットを介して提供する情報提供システムであって、
著名人および該著名人が属するグループの公開情報を該著名人の声紋データと対応付けて蓄積したデータベースと、
音データに含まれる声を、個々に分離する音声信号処理装置と、
前記音声信号処理装置で分離された声からそれぞれの声紋を判別する声紋判別装置と、
前記インターネットを介して音データを受信し、前記音声信号処理装置に出力し、前記声紋判別装置で判別され前記データベースに対応付けされた前記公開情報がある声紋データを選択し、前記選択された声紋の全ての著名人が同一のグループに属する場合に該グループの前記公開情報を抽出し、前記選択された声紋の著名人全てが同一のブループに属してはいない場合に、前記選択された声紋の著名人および該著名人が属するグループの全ての前記公開情報を抽出するサーバと、
前記音データを前記インターネットを介して前記サーバに送信し、前記データベースから抽出された前記公開情報を前記サーバから前記インターネットを介して受信する情報端末を有する情報提供システム。
【請求項４】
前記声は歌声であり、前記公開情報は前記著名人の音楽に関する公開情報である、請求項３記載の情報提供システム。
【請求項５】
ユーザの希望する著名人の公開情報をインターネットを介して提供するためのプログラムであって、
前記ユーザの情報端末から前記インターネットを介して音データを受信する処理と、
前記音データから分離された声から判別された少なくとも１つの声紋データの中の、前記データベースに対応付けされた前記公開情報がある声紋データを選択する処理と、
前記選択された声紋の著名人が全て同一のグループ属する場合に、該グループの前記公開情報を前記データベースから抽出する処理と、
前記選択された声紋の著名人全てが同一のブループに属してはいない場合に、前記選択された声紋の著名人および該著名人が属するグループの全ての前記公開情報を前記データベースから抽出する処理と、
前記データベースから抽出された前記公開情報を前記インターネットを介して前記情報端末に送信する処理をコンピュータに実行させるためのプログラムを記録した記録媒体。
【請求項６】
前記声は歌声であり、前記公開情報は著名人の音楽に関する公開情報である、請求項５記載の記録媒体。
【発明の詳細な説明】
【０００１】
【発明の属する技術分野】
本発明は、データ検索システムに関し、特に、インターネットを介してサービスを提供するためのデータ検索システムに関する。
【０００２】
【従来の技術】
データ検索システムを利用したさまざまなサービスがインターネットを介して提供されている。これを利用する場合に、ユーザはパーソナルコンピュータや携帯電話等の情報端末を、インターネットを介してデータ検索システムのサーバに接続し、検索したいことに関連するキーワードを入力して実行する。サーバは、キーワードをもとにデータベースを検索して、抽出されたキーワードに関連する情報をユーザの情報端末に送信する。これによって、ユーザは検索したいことに関する情報を入手することができる。このようなデータ検索サービスで提供される情報のひとつとして、音楽に関する情報がある。
【０００３】
音楽情報を提供するための従来のデータ検索システムは、曲名や、演奏あるいは歌っているアーティスト名等をもとにデータベースを検索するものである。したがって、音楽情報を得るために、ユーザは少なくとも曲名やアーティスト名を予め知っている必要がある。
【０００４】
【発明が解決しようとする課題】
テレビやラジオ等の公共の放送で流される音楽を聴くとき、その曲名や演奏または歌っているアーティスト名を知らずに聴くことが多い。そして、ユーザは、テレビやラジオで聴いた音楽に興味を持ち、それについて詳しく知りたいと思うことがある。しかし、通常のテレビやラジオの音楽番組では、まず、曲名やアーティスト名が紹介され、その後に音楽が流される場合が多い。その場合、興味を持った曲の曲名やアーティスト名を知ることができないことになる。その曲の曲名やアーティスト名を知るためには、再び偶然にその曲を聴く機会を待つしかないのが現状である。
【０００５】
従来のデータ検索システムでは、このような場合に検索を行うことは困難であり、得たい情報を得ることができないことが多かった。
【０００６】
また、同様に、テレビのニュース番組やワイドショーやドラマ、ラジオ番組などに出演している人物に興味を持ったとき、その人物の名前すら分からないままになることがある。このような場合に、データ検索システムでその人物に関する情報を得ることも困難であった。
【０００７】
本発明の目的は、著名人に関する情報を容易に検索可能なデータ検索方法、情報提供システム、および記録媒体を提供することである。
【０００８】
【課題を解決するための手段】
上記目的を達成するために、本発明の方法は、インターネットを介してサーバに接続されたデータベースを検索し、希望する情報を抽出するためのデータ検索方法であって、著名人およびその著名人が属するグループの公開情報とその著名人の声紋データとを対応付けてデータベースに予め蓄積しておき、インターネットを介して情報端末からの音データをサーバで受信し、音データから少なくとも１人の声を分離し、声から声紋をそれぞれ判別し、判別された声紋のデータの中で、データベースに対応付けされた公開情報がある声紋のデータのみを選択し、選択された声紋の著名人が全て同一のグループに属する場合に、そのグループの公開情報を抽出し、選択された声紋の著名人全てが同一のブループに属してはいない場合に、選択された声紋の著名人およびその著名人が属するグループの全ての公開情報を抽出し、抽出された公開情報をサーバから情報端末に送信するデータ検索方法である。
【０００９】
声によってデータベースを検索するので、キーワードを全く知らなくても、著名人に関連する公開情報を得ることができる。
【００１０】
また、データベースは声紋のデータによって判別可能に公開情報が蓄積されているので、声で著名人を判別するために莫大な音データを蓄積する必要がない。
【００１３】
本発明の他の情報提供システムは、ユーザの希望する情報をインターネットを介して提供する情報提供システムであって、
著名人およびその著名人が属するグループの公開情報をその著名人の声紋データと対応付けて蓄積したデータベースと、
音データに含まれる声を、個々に分離する音声信号処理装置と、
音声信号処理装置で分離された声からそれぞれの声紋を判別する声紋判別装置と、
インターネットを介して音データを受信し、音声信号処理装置に出力し、声紋判別装置で判別されデータベースに対応付けされた公開情報がある声紋データを選択し、選択された声紋の全ての著名人が同一のグループに属する場合にそのグループの公開情報を抽出し、選択された声紋の著名人全てが同一のブループに属してはいない場合に、選択された声紋の著名人およびその著名人が属するグループの全ての公開情報を抽出するサーバと、
音データをインターネットを介してサーバに送信し、データベースから抽出された公開情報をサーバからインターネットを介して受信する情報端末を有している。
【００１５】
本発明の他の記録媒体は、ユーザの希望する著名人の公開情報をインターネットを介して提供するためのプログラムであって、
ユーザの情報端末からインターネットを介して音データを受信する処理と、
音データから分離された声から判別された少なくとも１つの声紋データの中の、データベースに対応付けされた公開情報がある声紋データを選択する処理と、
選択された声紋の著名人が全て同一のグループ属する場合に、そのグループの公開情報をデータベースから抽出する処理と、
選択された声紋の著名人全てが同一のブループに属してはいない場合に、選択された声紋の著名人およびその著名人が属するグループの全ての公開情報をデータベースから抽出する処理と、
データベースから抽出された公開情報をインターネットを介して情報端末に送信する処理をコンピュータに実行させるためのプログラムを記録している。
【００１６】
本発明の実施態様によれば、前記声は歌声であり、公開情報は著名人の音楽に関する公開情報である。
【００１７】
【発明の実施の形態】
次に、本発明のデータ検索システムを利用して音楽情報を提供するサービスを実現する場合の実施形態について図面を参照して詳細に説明する。本実施形態のサービスは、曲名やアーティスト名をキーワードとして入力するのではなく、曲の音声そのもの入力することで、その曲やアーティストに関する情報を検索できるというサービスである。
【００１８】
図１を参照すると、本発明の一実施形態のデータ検索システムは、ユーザ側にマイク２が付属されたパーソナルコンピュータ（ＰＣ）１、または携帯電話３を有し、サービス提供者側にサーバ５とアーティストデータベース６と音声信号処理装置７と声紋判別装置８を有している。そして、ユーザ側のパーソナルコンピュータ１や携帯電話３は、インターネット４を介してサービス提供者側のサーバ５に接続可能である。インターネット４によれば、世界中のパーソナルコンピュータ１や携帯電話３等の情報端末は、互いに文書、画像、音声などの情報をやり取りすることができる。
【００１９】
パーソナルコンピュータ１は、インターネット４から音声データを送受信でき、また、音声を入力するためのマイク２あるいはラジオ、ＣＤ、ＭＤ等の再生装置から直接ライン入力できる端子を有している。そして、パーソナルコンピュータ１は、ユーザがデータ検索サービスを利用するときに、マイク２等から入力された音楽のデータをインターネット４を介してサーバ５に送信する。
【００２０】
携帯電話３は、テレビやラジオ等から録音した音楽のデータを、パーソナルコンピュータ１と同様に、インターネット４を介してサーバ５に送信する。
【００２１】
アーティストデータベース６は、あらゆるジャンルの音楽のアーティストを網羅しており、日々更新されて常に最新の音楽情報を蓄積している。このデータベースに蓄積されているデータには、各アーティストの声紋が含まれている。ただし、その声紋は検索に用いられるためのものであり、ユーザに公開されるものではない。アーティストデータベース６には、図２のように個人名データと声紋データとそのアーティストに関連する公開された情報の情報データが対応付けられて蓄積されている。
【００２２】
音声信号処理装置７はアンミキサと呼ばれる音源分離を行なうシステムを有しており、音楽を演奏と歌声に分離して、歌声のデータのみを声紋判別装置８に出力する。現在、音源分離について様々な研究がなされており、日本音響学会誌Ｖｏｌ．５３  Ｎｏ．１１  ｐｐ．８８３−８８８，１９９７．１１「音源分離による音声認識性能の改善」（武田、板倉）や、日本音響学会誌Ｖ０ｌ．５３  Ｎｏ．１１  ｐｐ．８８９−８９４，１９９７．１１「話者方向同定と雑音抑制による音声認識性能の改善」（浅野他）にその研究の成果を見ることができる。
【００２３】
声紋判別装置８は、音声信号処理装置７から入力された歌声を解析し、その声紋を判別してサーバ５に出力する。現在、声による個人の判別について様々な研究が行われており、日本音響学会誌Ｖｏｌ．５１  Ｎｏ．１１  ｐｐ．８７６−８８１，１９９５「声の個人性の話」（古井）にその内容が示されている。
【００２４】
サーバ５は、パーソナルコンピュータ１または携帯電話３（以下、パーソナルコンピュータ１等と称す）から受信した音声データを音声信号処理装置７に転送して歌声を分離させる。また、サーバ５は、声紋判別装置８から出力された声紋と一致する声紋をアーティストデータベース６から探し出し、その声紋を有するアーティストに関する情報をユーザ側のパーソナルコンピュータ１等に送信する。
【００２５】
本実施形態のデータ検索システムの動作について説明する。
【００２６】
まず、ユーザはテレビ、ラジオ、有線放送等の音楽をデータとしてパーソナルコンピュータ１に記録（録音）する。あるいは、図３に示すように携帯電話３で録音してもよく、また、携帯電話３で録音した音楽を再生して、さらにパーソナルコンピュータ１に録音してもよい。
【００２７】
次に、ユーザは、インターネット４を介してパーソナルコンピュータ１等を音楽情報を提供するためのサーバ５に接続する。接続されたサーバ５はパーソナルコンピュータ１等に音楽を入力することを要求する。パーソナルコンピュータ１等は録音しておいた音楽のデータをサーバ５に送信する。
【００２８】
サーバ５は、送られてきた音楽のデータを音声信号処理装置７に出力するとともに、その音楽から歌声を抽出するように音声信号処理装置７に指示する。
【００２９】
指示を受けた音声信号処理装置７は、その音楽から歌声のみを抽出して、声紋判別装置８に出力する。その音楽に複数の歌声が含まれている場合にはそれぞれの歌声に分離して、複数の歌声を出力する。
【００３０】
声紋判別装置８は、歌声の周波数の時間変化、すなわちサウンドスペクトログラム（声紋）を分析する。歌声が複数ある場合には、それぞれの歌声を分析する。声紋はその声の持ち主に固有のものであり、これによって人物の識別が可能となる。声紋判別装置８による分析の結果得られた声紋のデータはサーバ５に出力される。
【００３１】
図４に示すように、サーバ５は、ステップ１１１に声紋判別装置８から与えられた声紋データでアーティストデータベース６を検索し、ステップ１１２に一致するデータが発見されたか否かを判定する。そして、データベース６内に声紋判別装置８から与えられた声紋データと一致するデータが発見された場合に、ステップ１１３にその声紋データに関連付けされた情報をパーソナルコンピュータ１等に送信し、発見されなかった場合にはステップ１１４に、検索不能である旨をパーソナルコンピュータ１等に送信する。
【００３２】
複数の声紋データがある場合に、サーバ５はユニットやバンドなどのグループ名も考慮して情報を抽出する。
【００３３】
ここでは、アーティストデータベース６の個人名データには、個人名の他にその個人が属するグループ名が含まれているものとする。図５に示すように、サーバ５は、まず、ステップ１２１〜１２２に、各声紋データによりデータベースをそれぞれ検索する。ステップ１２３に、アーティストデータベース６内に一致するデータが無かった声紋データを破棄する。ステップ１２４に、一致するデータが有った声紋データが有るか否かを判定する。
【００３４】
一致するデータが有った声紋データが無かった場合には、ステップ１２５に、検索不能である旨をパーソナルコンピュータ１等に送信する。一致するデータが発見された声紋データが有った場合には、ステップ１２６に、全ての個人名データに同一グループ名が含まれているか否かを判定する。全ての個人名データに同一のグループ名が共通して含まれている場合には、ステップ１２７に、共通のグループ名に対応する情報を抽出し、パーソナルコンピュータ１等に送信する。共通のグループ名が無い場合には、ステップ１２８に、全ての個人名データに含まれる個人名、グループ名に対応する情報を抽出し、パーソナルコンピュータ１等に送信する。
【００３５】
アーティストデータベース６の情報には、最新リリース曲や過去にリリースされたＣＤやＭＤ、コンサート情報などが蓄積されている。したがって、声紋により特定されるアーティストに関連する情報を検索することができる。さらに、各アーティストの曲も音声データとして保管されており、該当するアーティストの曲あるいは曲の一部を得ることもできる。
【００３６】
パーソナルコンピュータ１または携帯電話３で録音した音楽の音声によって、アーティストデータベース６を検索するので、曲名やアーティスト名等のキーワードを全く知らなくても、そのアーティストに関連する情報を得ることができる。
【００３７】
また、アーティストデータベース６は声紋のデータによって判別可能に情報が蓄積されているので、アーティストを音声で判別するために全ての曲を蓄積するような莫大な音声データを蓄積する必要がなく、高速な検索が可能である。
【００３８】
本発明は音楽情報のデータ検索システムに限定されるものではなく、例えば他の実施形態として、テレビドラマの出演者、ラジオ番組の司会者、ニュース番組の解説者、アナウンサーなどマスメディアに頻繁に登場する著名人のデータベースを声紋データによって作成することもできる。ユーザは興味を持った著名人の声を録音し、サーバにアクセスして音声データを送信する。サーバはデータベースを検索し、関連する情報をユーザに送信する。
【００３９】
これにより、ユーザは興味を持った著名人の氏名等を全く知らなくても、関連する情報を得ることができる。
【００４０】
図６を参照すると、本発明のさらに他の実施形態のサーバ５０は、プロセッサ５１とメモリ５２と外部インタフェース５３を有する情報処理装置であり、インターネット４、音声信号処理装置７および声紋判別装置８とは外部インタフェース５３で接続されている。また、アーティストデータベースは外部記憶装置６０内に構成される。記録媒体７０は、フロッピーディスク、ＣＤ−ＲＯＭ、光磁気ディスク等の記録媒体であり、図４または図５の処理を有するプログラムが記録されている。
【００４１】
そして、プロセッサ５１は記録媒体７０からプログラムを読み取り、メモリ５２に格納した後、これを実行する。
【００４２】
なお、本実施形態においては、音声信号処理装置７および声紋判別装置８の処理はソフトウェアによって実現され、サーバ５０の情報処理装置がそのプログラムを実行してもよい。その場合、サーバ５０と音声信号処理装置７と声紋判別装置８は１つの情報処理装置で実現される。
【００４３】
【発明の効果】
以上説明したように本発明は、声によってデータベースを検索するので、キーワードを全く知らなくても、著名人に関連する公開情報を得ることができる。
【００４４】
また、データベースは声紋データによって判別可能に公開情報が蓄積しているので、声で著名人を判別するために莫大な音データを蓄積する必要がなく、高速な検索が可能である。
【図面の簡単な説明】
【図１】本発明の一実施形態のデータ検索システムのシステム構成図である。
【図２】本実施形態のアーティストデータベースのデータ構成図である。
【図３】本発明の実施形態のデータ検索システムのユーザ側の動作を説明するための説明図である。
【図４】本実施形態のサーバのアーティストデータベース検索の動作を示すフローチャートである。
【図５】音声に複数の歌声が含まれる場合のアーティストデータベース検索の動作を示すフローチャートである。
【図６】本発明の他の実施形態のサーバの構成を示すブロック図である。
【符号の説明】
１    パーソナルコンピュータ
２    マイク
３    携帯電話
４    インターネット
５    サーバ
６    アーティストデータベース
７    音声信号処理装置
８    声紋判別装置
１１１〜１１４，１２１〜１２８    ステップ
【図１】
0003565261.tif 000002
【図２】
0003565261.tif 000003
【図３】
0003565261.tif 000004
【図４】
0003565261.tif 000005
【図５】
0003565261.tif 000006
【図６】
0003565261.tif 000007